(57)【要約】    【課題】      トラヒック量の増大を低減するとともに、伝送時間間隔を短くした場合においてもデータ転送の際のオーバーヘッドの増大を防ぐこと。    【解決手段】  データフレーム処理部１０２は、ＥＤＣＨ  ＦＰ  ＭＤＣデータフレームからＭＡＣ−ｄ  ＰＤＵを組み立てる。制御フレーム処理部１０３は、マクロダイバーシチ通信状態において、複数のＮｏｄｅ  ＢのＥＤＣＨ  ＦＰ  ＭＤＣ制御フレームから、ＳＮの同じフレームを選択してＣＲＣ結果及び推定ビット誤り率を比較して、ＣＲＣ結果がＯＫでかつ推定ビット誤り率の小さいフレームを選択する。そして、制御フレーム処理部１０３は、選択したフレームを送信可能なＮｏｄｅ  Ｂ宛に、ＡＣＫを設定したＥＤＣＨ  ＦＰ制御応答フレームを組み立てるとともに、それ以外のＮｏｄｅ  Ｂに対してはＦｌａｓｈを設定したＥＤＣＨ  ＦＰ制御応答フレームを組み立てる。  【選択図】      図１
2005318211.tif 000002
【特許請求の範囲】
【請求項１】
パケットデータのデータ部分の情報を含む前記パケットデータの制御情報部分を各基地局装置から受け取る取得手段と、
前記取得手段にて受け取った前記制御情報部分に含まれる前記データ部分の品質を示す情報である品質情報の中で最も品質の良好な前記品質情報を送ってきた前記基地局装置に対して前記データ部分を送るように指示する制御フレーム処理手段と、
前記制御フレーム処理手段により前記データ部分を送るように指示した前記基地局装置より送られてきた前記データ部分に対して所定のプロトコル処理を行うデータフレーム処理手段と、
を具備することを特徴とする制御局装置。
【請求項２】
パケットデータのデータ部分の品質を示す情報である品質情報を生成する品質情報生成手段と、
制御局装置へ伝送するために前記パケットデータのデータ部分を生成するデータフレーム処理手段と、
前記品質情報生成手段にて生成された前記品質情報及び前記データ部分の情報を含む前記パケットデータの制御情報部分を生成する制御フレーム処理手段と、
前記制御フレーム処理手段にて生成された前記制御情報部分を前記制御局装置へ伝送するとともに前記制御局装置へ伝送するように指示された前記データ部分を前記制御局装置へ伝送する伝送手段と、
を具備することを特徴とする基地局装置。
【請求項３】
前記データフレーム処理手段は、複数の前記パケットデータの前記データ部分を結合して結合データを生成し、
前記伝送手段は、前記結合データを前記データ部分として伝送することを特徴とする請求項２記載の基地局装置。
【請求項４】
パケットデータのデータ部分の情報を含む前記パケットデータの制御情報部分を生成する制御フレーム処理手段と、
複数の前記パケットデータのデータ部分を結合して結合データを生成するデータフレーム処理手段と、
前記制御フレーム処理手段にて生成された前記制御情報部分と前記データフレーム処理手段にて生成された前記結合データとを伝送する伝送手段と、
を具備することを特徴とする基地局装置。
【請求項５】
パケットデータのデータ部分の情報を含む前記パケットデータの制御情報部分を各基地局装置から受け取るステップと、
受け取った前記制御情報部分に含まれる前記データ部分の品質を示す情報である品質情報の中で最も品質の良好な前記品質情報を送ってきた前記基地局装置に対して前記データ部分を送るように指示するステップと、
前記データ部分を送るように指示した前記基地局装置より送られてきた前記データ部分に対して所定のプロトコル処理を行うステップと、
を具備することを特徴とする通信方法。
【請求項６】
パケットデータのデータ部分の品質を示す情報である品質情報を生成するステップと、
制御局装置へ伝送するために前記パケットデータのデータ部分を生成するステップと、
生成された前記品質情報及び前記データ部分の情報を含む前記パケットデータの制御情報部分を生成するステップと、
生成された前記制御情報部分を前記制御局装置へ伝送するとともに前記制御局装置へ伝送するように指示された前記データ部分を前記制御局装置へ伝送するステップと、
を具備することを特徴とする通信方法。
【請求項７】
複数の前記パケットデータの前記データ部分を結合して結合データを生成し、
前記結合データを前記データ部分として伝送することを特徴とする請求項６記載の通信方法。
【請求項８】
パケットデータのデータ部分の情報を含む前記パケットデータの制御情報部分を生成するステップと、
複数の前記パケットデータのデータ部分を結合して結合データを生成するステップと、
生成された前記制御情報部分と前記データフレーム処理手段にて生成された前記結合データとを伝送するステップと、
を具備することを特徴とする通信方法。
【請求項９】
制御局装置へ伝送するために前記パケットデータのデータ部分を生成するステップと、
前記データ部分の品質を示す情報である品質情報を生成するステップと、
生成された前記品質情報及び前記データ部分の情報を含む前記パケットデータの制御情報部分を生成するステップと、
生成された前記制御情報部分を複数の基地局装置から前記制御局装置へ伝送するステップと、
前記制御局装置が複数の前記基地局装置から前記制御情報部分を受け取るステップと、
受け取った前記制御情報部分に含まれる前記品質情報の中で最も品質の良好な前記品質情報を送ってきた前記基地局装置に対して前記データ部分を送るように指示するステップと、
前記制御局装置より伝送するように指示された前記データ部分を前記基地局装置より前記制御局装置へ伝送するステップと、
前記データ部分を送るように指示した前記基地局装置より送られてきた前記データ部分に対して所定のプロトコル処理を行うステップと、
を具備することを特徴とする通信方法。
【発明の詳細な説明】
【技術分野】
【０００１】
本発明は、特に高速パケット通信サービスを提供する制御局装置及び基地局装置に関する。
【背景技術】
【０００２】
パケット通信システム１３００は図１３に示すように、移動端末（以下「ＵＥ」と記載する）１３０１、基地局装置（以下「Ｎｏｄｅ  Ｂ」と記載する）１３０２、複数のＮｏｄｅ  Ｂ１３０２を制御する無線ネットワーク制御装置（以下「ＲＮＣ」と記載する）１３０３、ＵＥ１３０１の位置管理及び呼接続制御等を行うコアネットワーク（以下「ＣＮ」と記載する）１３０４及びＵＥ１３０１の通信相手（以下「ＴＥ」と記載する）１３０５により構成されている。各ＲＮＣ１３０３には複数のＮｏｄｅ  Ｂ１３０２が接続され、Ｎｏｄｅ  Ｂ１３０２には複数のＵＥ１３０１が接続される。
【０００３】
無線方式としてＷＣＤＭＡ（Wideband  Code  Division  Multiple  Access）方式を用いるＵＭＴＳ（Universal Mobile Telecommunications System）では、ＵＥ１３０１は、同時に複数のＮｏｄｅ  Ｂ１３０２と無線回線を設定してマクロダイバーシチ通信を行うことが可能である。この場合、複数のＮｏｄｅ  Ｂ１３０２が受信した信号は、上位のＲＮＣ１３０３に送られ、ＲＮＣ１３０３において最も通信品質の良い信号が選択されてＣＮ１３０４に送られる。
【０００４】
次に、図１３を用いて従来の移動通信システムにおいて、上り方向にデータを転送する場合の動作について説明する。ＵＥ１３０１のアプリケーションで生成されたデータは、ＩＰパケットに組み立てられてＮｏｄｅ  Ｂ１３０２に送られる。Ｎｏｄｅ  Ｂ１３０２では、ＷＣＤＭＡによる無線伝送のためのベースバンド処理等が行われ、復調及びＨＡＲＱ復号化／誤り訂正などの処理が行われる。そして、有線伝送のためのレイヤ２（以下「Ｌ２」と記載する）及びレイヤ１（以下「Ｌ１」と記載する）の処理が行われ、Ｉｕｂ／Ｉｕｒインタフェースを介してＲＮＣ１３０３に送られる。ＲＮＣ１３０３では、複数のＮｏｄｅ  Ｂ１３０２間でマクロダイバーシチ通信を行っている場合は、複数のＮｏｄｅ  Ｂ１３０２から受信したパケットから最も通信品質の良いパケットを選択してＩＰパケットに復元する。
【０００５】
また、従来の移動通信システムとして、パケット制御ノードが地上網と無線網との間でパケットの中継を行う下り回線の移動通信システムが知られている（例えば、特許文献１）。この移動通信システムにおいては、Ｎｏｄｅ  ＢはＵＥ毎の無線チャネルの現在の下り伝送速度の状態に応じ、ＵＥ宛パケットの転送レートの要求をパケット制御ノードへ通知し、この通知を受けたパケット制御ノードは要求された転送レートでＵＥ宛てパケットをＮｏｄｅ  Ｂへ転送する。
【特許文献１】特開２００２−１７１５７２号公報
【発明の開示】
【発明が解決しようとする課題】
【０００６】
しかしながら、従来の制御局装置及び基地局装置においては、上り無線回線の高速化技術を適用し、さらにＵＥが複数のＮｏｄｅ  Ｂ間でマクロダイバーシチ通信を行う場合は、複数のＮｏｄｅ  ＢからＲＮＣにパケットが送られるため、Ｎｏｄｅ  ＢとＲＮＣ間のトラヒック量が増大するという問題がある。特に、上り無線回線のデータレートを高速化する場合には、Ｎｏｄｅ  ＢからＲＮＣに転送されるパケットの量も増大し、トラヒック量が極端に増大するという問題がある。
【０００７】
また、従来の制御局装置及び基地局装置においては、上り無線回線の高速化技術を適用する場合、上り無線回線の伝送時間間隔（ＴＴＩ）が従来に比べて短くなる。これにより、Ｎｏｄｅ  Ｂは、従来に比べて短い伝送時間間隔毎にデータをＲＮＣに送信するため、ＲＮＣが単位時間当たりに処理すべきフレーム数が増大するとともに、データ転送の際のＩＰヘッダなどのオーバーヘッドが増大するという問題がある。
【０００８】
本発明はかかる点に鑑みてなされたものであり、トラヒック量の増大を低減することができるとともに、伝送時間間隔を短くした場合においてもデータ転送の際のオーバーヘッドの増大を防ぐことができる制御局装置及び基地局装置を提供することを目的とする。
【課題を解決するための手段】
【０００９】
本発明の制御局装置は、パケットデータのデータ部分の情報を含む前記パケットデータの制御情報部分を各基地局装置から受け取る取得手段と、前記取得手段にて受け取った前記制御情報部分に含まれる前記データ部分の品質を示す情報である品質情報の中で最も品質の良好な前記品質情報を送ってきた前記基地局装置に対して前記データ部分を送るように指示する制御フレーム処理手段と、前記制御フレーム処理手段により前記データ部分を送るように指示した前記基地局装置より送られてきた前記データ部分に対して所定のプロトコル処理を行うデータフレーム処理手段と、を具備する構成を採る。
【００１０】
この構成によれば、制御情報に含まれる品質情報の中で最も品質が良好な品質情報を送ってきた基地局装置に対して、データ部分を送るように指示するとともに、データ部分を送るように指示した基地局装置より送られてきたデータ部分に対して所定のプロトコル処理を行うので、常にデータ部分が伝送される場合に比べて、トラヒック量の増大を低減することができるとともに、伝送時間間隔を短くした場合においてもデータ転送の際のオーバーヘッドの増大を防ぐことができる。
【００１１】
本発明の基地局装置は、パケットデータのデータ部分の品質を示す情報である品質情報を生成する品質情報生成手段と、制御局装置へ伝送するために前記パケットデータのデータ部分を生成するデータフレーム処理手段と、前記品質情報生成手段にて生成された前記品質情報及び前記データ部分の情報を含む前記パケットデータの制御情報部分を生成する制御フレーム処理手段と、前記制御フレーム処理手段にて生成された前記制御情報部分を前記制御局装置へ伝送するとともに前記制御局装置へ伝送するように指示された前記データ部分を前記制御局装置へ伝送する伝送手段と、を具備する構成を採る。
【００１２】
この構成によれば、制御情報部分を制御局装置へ伝送するとともに制御局装置へ伝送するように指示されたデータ部分を制御局装置へ伝送するので、制御情報部分とデータ部分とを常に伝送する場合に比べて、トラヒック量の増大を低減することができるとともに、伝送時間間隔を短くした場合においてもデータ転送の際のオーバーヘッドの増大を防ぐことができる。
【００１３】
本発明の基地局装置は、前記構成において、前記データフレーム処理手段は、複数の前記パケットデータの前記データ部分を結合して結合データを生成し、前記伝送手段は、前記結合データを前記データ部分として伝送する構成を採る。
【００１４】
この構成によれば、前記効果に加えて、複数のパケットデータのデータ部分を結合してから伝送するので、受信側にて所定時間当たりに受信するデータフレーム数を低減することが可能となって受信側の処理能力を低減することができるとともに、遅延が再送回数分累積されることを防ぐことができ、遅延時間が大きく増大することを防ぐことができる。
【００１５】
本発明の基地局装置は、パケットデータのデータ部分の情報を含む前記パケットデータの制御情報部分を生成する制御フレーム処理手段と、複数の前記パケットデータのデータ部分を結合して結合データを生成するデータフレーム処理手段と、前記制御フレーム処理手段にて生成された前記制御情報部分と前記データフレーム処理手段にて生成された前記結合データとを伝送する伝送手段と、を具備する構成を採る。
【００１６】
この構成によれば、複数のパケットデータのデータ部分を結合して生成した結合データを伝送するので、所定の伝送時間間隔当たりのデータ部分の送信に占める割合を少なくすることができることにより、トラヒック量の増大を低減することができるとともに、伝送時間間隔を短くした場合においてもデータ転送の際のオーバーヘッドの増大を防ぐことができる。また、受信側の処理能力を低減することができるとともに、遅延が再送回数分累積されることを防ぐことができ、遅延時間が大きく増大することを防ぐことができる。
【００１７】
本発明の通信方法は、パケットデータのデータ部分の情報を含む前記パケットデータの制御情報部分を各基地局装置から受け取るステップと、受け取った前記制御情報部分に含まれる前記データ部分の品質を示す情報である品質情報の中で最も品質の良好な前記品質情報を送ってきた前記基地局装置に対して前記データ部分を送るように指示するステップと、前記データ部分を送るように指示した前記基地局装置より送られてきた前記データ部分に対して所定のプロトコル処理を行うステップと、を具備するようにした。
【００１８】
この方法によれば、制御情報に含まれる品質情報の中で最も良好な品質が良好な品質情報を送ってきた基地局装置に対して、データ部分を送るように指示するとともに、データ部分を送るように指示した基地局装置より送られてきたデータ部分に対して所定のプロトコル処理を行うので、常にデータ部分が伝送される場合に比べて、トラヒック量の増大を低減することができるとともに、伝送時間間隔を短くした場合においてもデータ転送の際のオーバーヘッドの増大を防ぐことができる。
【００１９】
本発明の通信方法によれば、パケットデータのデータ部分の品質を示す情報である品質情報を生成するステップと、制御局装置へ伝送するために前記パケットデータのデータ部分を生成するステップと、生成された前記品質情報及び前記データ部分の情報を含む前記パケットデータの制御情報部分を生成するステップと、生成された前記制御情報部分を前記制御局装置へ伝送するとともに前記制御局装置へ伝送するように指示された前記データ部分を前記制御局装置へ伝送するステップと、を具備するようにした。
【００２０】
この方法によれば、制御情報部分を制御局装置へ伝送するとともに制御局装置へ伝送するように指示されたデータ部分を制御局装置へ伝送するので、制御情報部分とデータ部分とを常に伝送する場合に比べて、トラヒック量の増大を低減することができるとともに、伝送時間間隔を短くした場合においてもデータ転送の際のオーバーヘッドの増大を防ぐことができる。
【００２１】
本発明の通信方法は、前記方法において、複数の前記パケットデータの前記データ部分を結合して結合データを生成し、前記結合データを前記データ部分として伝送するようにした。
【００２２】
この方法によれば、複数のパケットデータのデータ部分を結合してから伝送するので、受信側にて所定時間当たりに受信するデータフレーム数を低減することが可能となって受信側の処理能力を低減することができるとともに、遅延が再送回数分累積されることを防ぐことができ、遅延時間が大きく増大することを防ぐことができる。
【００２３】
本発明の通信方法は、パケットデータのデータ部分の情報を含む前記パケットデータの制御情報部分を生成するステップと、複数の前記パケットデータのデータ部分を結合して結合データを生成するステップと、生成された前記制御情報部分と前記データフレーム処理手段にて生成された前記結合データとを伝送するステップと、を具備するようにした。
【００２４】
この方法によれば、複数のパケットデータのデータ部分を結合して生成した結合データを伝送するので、所定の伝送時間間隔当たりのデータ部分の送信に占める割合を少なくすることができることにより、トラヒック量の増大を低減することができるとともに、伝送時間間隔を短くした場合においてもデータ転送の際のオーバーヘッドの増大を防ぐことができる。また、受信側の処理能力を低減することができるとともに、遅延が再送回数分累積されることを防ぐことができ、遅延時間が大きく増大することを防ぐことができる。
【００２５】
本発明の通信方法は、制御局装置へ伝送するために前記パケットデータのデータ部分を生成するステップと、前記データ部分の品質を示す情報である品質情報を生成するステップと、生成された前記品質情報及び前記データ部分の情報を含む前記パケットデータの制御情報部分を生成するステップと、生成された前記制御情報部分を複数の基地局装置から前記制御局装置へ伝送するステップと、前記制御局装置が複数の前記基地局装置から前記制御情報部分を受け取るステップと、受け取った前記制御情報部分に含まれる前記品質情報の中で最も品質の良好な前記品質情報を送ってきた前記基地局装置に対して前記データ部分を送るように指示するステップと、前記制御局装置より伝送するように指示された前記データ部分を前記基地局装置より前記制御局装置へ伝送するステップと、前記データ部分を送るように指示した前記基地局装置より送られてきた前記データ部分に対して所定のプロトコル処理を行うステップと、を具備するようにした。
【００２６】
この方法によれば、制御情報に含まれる品質情報の中で最も良好な品質が良好な品質情報を送ってきた基地局装置に対して、データ部分を送るように指示するとともに、データ部分を送るように指示した基地局装置より送られてきたデータ部分に対して所定のプロトコル処理を行うので、常にデータ部分が伝送される場合に比べて、トラヒック量の増大を低減することができるとともに、伝送時間間隔を短くした場合においてもデータ転送の際のオーバーヘッドの増大を防ぐことができる。
【発明の効果】
【００２７】
本発明によれば、トラヒック量の増大を低減することができるとともに、伝送時間間隔を短くした場合においてもデータ転送の際のオーバーヘッドの増大を防ぐことができる。
【発明を実施するための最良の形態】
【００２８】
本発明の骨子は、制御情報部分に含まれる誤り検出結果の情報である誤り情報の中で誤りがないことを示す誤り情報を送ってきた基地局装置に対してデータ部分を送るように指示し、データ部分を送るように指示した基地局装置より送られてきたデータ部分に対して所定のプロトコル処理を行うことである。また、パケットデータのデータ部分を結合して結合データを生成するとともに、生成した結合データを伝送することである。
【００２９】
現在、３ＧＰＰ（3rd Generation Partnership Project）において、上りパケット通信の高速化を実現する改良個別チャネル（ＥＤＣＨ：Enhanced Dedicated Channel）技術に関する検討が行われている。ＥＤＣＨは、３ＧＰＰにおいて規格化が進められている新しい技術であり、適応変調方式やＨＡＲＱ（Hybrid Automatic Repeat Request）方式、通信先ユーザの高速選択、及び無線回線の状況に応じて適応的に伝送パラメータを変更する等の方法を無線インタフェースに適用することにより、ＵＥからＮｏｄｅ  Ｂ方向の上り無線回線の高速化を実現している。
【００３０】
以下、本発明の実施の形態について、図面を参照して詳細に説明する。
【００３１】
（実施の形態１）
図１は、本発明の実施の形態１に係るＲＮＣ１００の構成を示すブロック図である。データフレーム処理部１０２及び制御フレーム処理部１０３は、ＥＤＣＨ  ＦＰ（Frame Protocol for Enhanced Dedicated Channel）部１０９を構成する。
【００３２】
Ｌ２／Ｌ１部１０１は、後述するＮｏｄｅ  Ｂから入力したデータに対して有線伝送のためのＬ２の処理及びＬ１の処理を行って、ＥＤＣＨ  ＦＰ  ＭＤＣデータフレームまたはＥＤＣＨ  ＦＰ  ＭＤＣ制御フレームを復元する。そして、Ｌ２／Ｌ１部１０１は、復元したＥＤＣＨ  ＦＰ  ＭＤＣデータフレームをデータフレーム処理部１０２へ出力し、復元したＥＤＣＨ  ＦＰＭＤＣ制御フレームを制御フレーム処理部１０３へ出力する。また、Ｌ２／Ｌ１部１０１は、制御フレーム処理部１０３から入力したＥＤＣＨ  ＦＰ  ＭＤＣ制御応答フレームに対してＬ２の処理及びＬ１の処理を行ってＮｏｄｅ  Ｂへ伝送する。
【００３３】
データフレーム処理部１０２は、Ｌ２／Ｌ１部１０１から入力したＥＤＣＨ  ＦＰ  ＭＤＣデータフレームからＭＡＣ−ｄ  ＰＤＵを組み立ててＭＡＣ−ｄ部１０４へ出力する。
【００３４】
制御フレーム処理部１０３は、Ｌ２／Ｌ１部１０１からＥＤＣＨ  ＦＰ  ＭＤＣ制御フレームが入力した場合、ＥＤＣＨ  ＦＰ  ＭＤＣ制御フレームに設定されているＣＲＣ結果（以下「ＣＲＣＩ」と記載する）及び推定品質情報（ＱＥ）に基づいて、シーケンス番号（以下「ＳＮ」と記載する）に対応するデータの処理指示情報であるＨＡＲＱ  Ｏｐｅｒａｔｉｏｎとして、ＡＣＫ、ＮＡＣＫ、またはＦｌａｓｈのいずれかを設定したＥＤＣＨ  ＦＰ  ＭＤＣ制御応答フレームを生成して、Ｌ２／Ｌ１部１０１へ出力する。また、制御フレーム処理部１０３は、マクロダイバーシチ通信状態において、Ｌ２／Ｌ１部１０１から入力した複数のＮｏｄｅ  ＢのＥＤＣＨ  ＦＰ  ＭＤＣ制御フレームから、ＳＮの同じフレームを選択してＣＲＣＩを比較し、ＣＲＣＩがＯＫのフレームが存在する場合にはさらに推定ビット誤り率の情報等の推定品質情報（以下「ＱＥ」と記載する）を比較して、推定ビット誤り率の小さいフレームを選択する。そして、制御フレーム処理部１０３は、選択したフレームのＳＮ及びＡＣＫを設定したＥＤＣＨ  ＦＰ制御応答フレームを組み立てて、該当Ｎｏｄｅ  Ｂ宛に送信するためにＬ２／Ｌ１部１０１へ出力する。また、制御フレーム処理部１０３は、ＡＣＫを設定したＥＤＣＨ  ＦＰ制御応答フレームを送るＮｏｄｅ  Ｂ以外のＮｏｄｅ  Ｂに対しては、選択したフレームのＳＮ及びＦｌａｓｈを設定したＥＤＣＨ  ＦＰ制御応答フレームを組み立てて、該当Ｎｏｄｅ  Ｂ宛に送信するためにＬ２／Ｌ１部１０１へ出力する。また、制御フレーム処理部１０３は、全てのＮｏｄｅ  ＢからのＣＲＣＩがＮＧである場合は、選択したフレームのＳＮとＮＡＣＫを設定したＥＤＣＨ  ＦＰ制御応答フレームを組み立てて、全てのＮｏｄｅ  Ｂに送信するためにＬ２／Ｌ１部１０１へ出力する。ここで、ＣＮはフレームを識別するために用いられるものである。
【００３５】
ＭＡＣ−ｄ部１０４は、データフレーム処理部１０２から入力したＭＡＣ−ｄ  ＰＤＵに対して個別チャネルのＭＡＣ処理を行い、ＭＡＣ−ｄヘッダを除去してＲＬＣ  ＰＤＵに復元してＲＬＣ部１０５へ出力する。
【００３６】
ＲＬＣ部１０５は、ＭＡＣ−ｄ部１０４から入力したＲＬＣ  ＰＤＵに対してＲＬＣヘッダの順序番号をチェックし、正常である場合にはＲＬＣヘッダを除去してＰＤＣＰ（Packet Data Convergence Protocol）部１０６へ出力する。また、ＲＬＣ部１０５は、ＲＬＣヘッダの順序番号の抜け等の順序番号の異常を検出した場合には、再送要求を設定したＲＬＣ  ＰＤＵを移動端末のＲＬＣに返送する。
【００３７】
ＰＤＣＰ部１０６は、ＲＬＣ部１０５から入力したパケットデータの圧縮されたＩＰヘッダの伸張を行ってＩＰパケットに復元してＧＴＰ−ｕ（GRPS Tunneling Protocol for user plane）部１０７へ出力する。
【００３８】
ＧＴＰ−ｕ部１０７は、ＰＤＣＰ部１０６から入力したＩＰパケットに対して、ＲＮＣとＣＮとの間でのデータ転送のためのＧＴＰ−ｕヘッダを付加してＧＴＰ−ｕ  ＰＤＵを組み立ててＬ２／Ｌ１部１０８へ出力する。
【００３９】
Ｌ２／Ｌ１部１０８は、ＧＴＰ−ｕ部１０７から入力したパケットデータに対して有線伝送のためのＬ２の処理及びＬ１の処理を行ってＩｕインタフェースを介してＣＮへ出力する。
【００４０】
次に、本発明の実施の形態１に係るＮｏｄｅ  Ｂ２００の構成について図２を用いて説明する。図２は、Ｎｏｄｅ  Ｂ２００の構成を示すブロック図である。ＭＡＣ−ｅ処理部２０２及びスケジューラ部２０３は、ＭＡＣ−ｅ部２０７を構成する。また、制御フレーム処理部２０４及びデータフレーム処理部２０５は、ＥＤＣＨ  ＦＰ部２０８を構成する。
【００４１】
ＰＨＹ部２０１は、ＵＥから受信したパケットデータに対して有線伝送のためのＬ１の処理を行ってＭＡＣ−ｅ処理部２０２へ出力する。また、ＰＨＹ部２０１は、スケジューラ部２０３によるスケジューリングにより、ＭＡＣ−ｅ処理部２０２から入力した再送要求信号を含む送信信号に対してＷＣＤＭＡによる無線伝送のためのベースバンド処理等を行ってＵＥへ送信する。
【００４２】
品質情報生成手段であるＭＡＣ−ｅ処理部２０２は、ＰＨＹ部２０１から入力したデータを復調するとともに、ＨＡＲＱ復号化及び誤り訂正等してＭＡＣ−ｄ  ＰＤＵを組み立てる。この時、ＭＡＣ−ｅ処理部２０２は、ＨＡＲＱによるデータ内の誤り有無を示すＣＲＣＩの情報、及びＨＡＲＱによるデータ内の推定ビット誤り率の情報等のＱＥを、品質情報としてデータフレーム処理部２０５へ出力する。また、ＭＡＣ−ｅ処理部２０２は、受信したデータから各ＵＥにおける無線回線の回線品質を示す情報である回線品質情報（例えば、ＣＱＩ（Channel Quality Indicator））を生成する。そして、ＭＡＣ−ｅ処理部２０２は、生成した複数のＵＥとの間の無線回線の回線品質情報に基づいて、各ＵＥの送信タイミング及び送信時に用いる変調方式等を決定し、決定した送信タイミングの情報及び変調方式の情報等をＵＥに通知するためにＰＨＹ部２０１へ出力する。また、ＭＡＣ−ｅ処理部２０２は、制御フレーム処理部２０４からＳＮによりＭＡＣ−ｅ  ＰＤＵの出力を指示された場合には、該当するＳＮの組み立てたＭＡＣ−ｅ  ＰＤＵをデータフレーム処理部２０５へ出力する。また、ＭＡＣ−ｅ処理部２０２は、制御フレーム処理部２０４からＳＮによりＭＡＣ−ｅ  ＰＤＵの廃棄を指示された場合には、該当するＳＮのＭＡＣ−ｅ  ＰＤＵを廃棄する。また、ＭＡＣ−ｅ処理部２０２は、制御フレーム処理部２０４からＳＮによりＭＡＣ−ｅ  ＰＤＵのＨＡＲＱの再送を行うように指示された場合には、該当するＳＮに対応するデータの再送要求信号をＰＨＹ部２０１へ出力する。
【００４３】
スケジューラ部２０３は、ＭＡＣ−ｅ処理部２０２から入力した回線品質情報と制御フレーム処理部２０４から入力した再送要求をスケジューリングのための情報として用いてスケジューリングを行う。即ち、スケジューラ部２０３は、回線品質が良好なほど送信レートが高くなるようにスケジューリングを行うとともに、制御フレーム処理部２０４から入力した再送要求に従ってスケジューリングを行う。そして、スケジューラ部２０３は、設定した送信レートの情報を含むスケジューリングの結果の情報であるスケジューリング情報をＰＨＹ部２０１へ出力する。なお、スケジューラ部２０３が制御フレーム処理部２０４から再送要求を受信した場合、再送データをスケジューリングするタイミングは任意に設定することが可能である。例えば、再送データが遅延を許容できる場合は、スケジューリングを遅らせることも可能であり、再送データが遅延を許容できない場合は、再送要求を受信後直ちにスケジューリングに反映させることも可能である。
【００４４】
制御フレーム処理部２０４は、ＭＡＣ−ｅ処理部２０２から入力したＨＡＲＱのステータス情報からＥＤＣＨ  ＦＰ  ＭＤＣ制御フレームを組み立ててＬ２／Ｌ１部２０６へ出力する。また、制御フレーム処理部２０４は、Ｌ２／Ｌ１部２０６からＥＤＣＨ  ＦＰ  ＭＤＣ制御応答フレームが入力した場合には、ＥＤＣＨ  ＦＰ  ＭＤＣ制御応答フレームに設定されている情報をスケジューラ部２０３及びＭＡＣ−ｅ処理部２０２へ出力する。具体的には、制御フレーム処理部２０４は、入力したＥＤＣＨ  ＦＰ  ＭＤＣ制御応答フレームのＨＡＲＱ  ＯｐｅｒａｔｉｏｎがＡＣＫである場合、ＭＡＣ−ｅ処理部２０２に対してＳＮに対応するＭＡＣ−ｅ  ＰＤＵの出力を指示し、入力したＥＤＣＨ  ＦＰ  ＭＤＣ制御応答フレームのＨＡＲＱ  ＯｐｅｒａｔｉｏｎがＮＡＣＫである場合、ＭＡＣ−ｅ処理部２０２に対してＳＮに対応するＭＡＣ−ｅ  ＰＤＵのＨＡＲＱの再送を行うように指示し、入力したＥＤＣＨ  ＦＰ  ＭＤＣ制御応答フレームのＨＡＲＱ  ＯｐｅｒａｔｉｏｎがＦｌａｓｈである場合、ＭＡＣ−ｅ処理部２０２に対してＳＮに対応するＭＡＣ−ｅ  ＰＤＵの廃棄を指示する。
【００４５】
データフレーム処理部２０５は、ＭＡＣ−ｅ処理部２０２から入力したＭＡＣ−ｄ  ＰＤＵより、ＴＴＩ毎にＥＤＣＨ  ＦＰ  ＭＤＣデータフレームを組み立ててＬ２／Ｌ１部２０６へ出力する。
【００４６】
Ｌ２／Ｌ１部２０６は、データフレーム処理部２０５から入力したＥＤＣＨ  ＦＰ  ＭＤＣデータフレームに対して、有線伝送のためのＬ２の処理及びＬ１の処理を行ってＩｕｂ／Ｉｕｒインタフェースを介してＲＮＣへ伝送する。また、Ｌ２／Ｌ１部２０６は、制御フレーム処理部２０４から入力したＥＤＣＨ  ＦＰ  ＭＤＣ制御フレームに対して、有線伝送のためのＬ２の処理及びＬ１の処理を行ってＩｕｂ／Ｉｕｒインタフェースを介してＲＮＣへ伝送する。また、Ｌ２／Ｌ１部２０６は、Ｉｕｂ／Ｉｕｒインタフェースを介してＲＮＣから入力したＥＤＣＨ  ＦＰ  ＭＤＣ制御応答フレームに対して、Ｌ１の処理及びＬ２の処理を行って制御フレーム処理部２０４へ出力する。
【００４７】
次に、本発明の実施の形態１に係るＵＥ３００の構成について図３を用いて説明する。図３は、ＵＥ３００の構成を示すブロック図である。
【００４８】
ＡＰ部３０１は、データを生成してＴＣＰ／ＩＰ部３０２へ出力する。ここで、ＴＣＰはデータの伝送量を制御するフロー制御や再送制御等の機能を有するプロトコルである。
【００４９】
ＴＣＰ／ＩＰ部３０２は、ＡＰ部３０１から入力したデータをＴＣＰの再送制御のための順序番号を含むＴＣＰヘッダ等を付加した後、ＰＤＣＰ部３０３へ出力する。
【００５０】
ＰＤＣＰ部３０３は、ＴＣＰ／ＩＰ部３０２から入力したＩＰパケットのＩＰヘッダの圧縮等を行ってＲＬＣ部３０４へ出力する。
【００５１】
ＲＬＣ部３０４は、ＰＤＣＰ部３０３から入力したパケットデータに対して再送制御のための順序番号等を含むＲＬＣヘッダ等を付加してＲＬＣ  ＰＤＵを組み立ててＭＡＣ−ｄ部３０５へ出力する。
【００５２】
ＭＡＣ−ｄ部３０５は、ＲＬＣ部３０４から入力したＲＬＣ  ＰＤＵに対して、個別チャネルのＭＡＣ処理に必要なＭＡＣ−ｄヘッダ等を付加してＭＡＣ−ｅ部３０６へ出力する。
【００５３】
ＭＡＣ−ｅ部３０６は、基地局装置から通知されたスケジューリング情報に基づいて、ＭＡＣ−ｄ部３０５から入力したＭＡＣ−ｄ  ＰＤＵに対してＨＡＲＱ符号化及び適応変調等の処理を行ってＭＡＣ−ｅ  ＰＤＵを組み立てる。そして、ＭＡＣ−ｅ部３０６は、スケジューリング情報にて通知された送信タイミングにてＭＡＣ−ｅ  ＰＤＵをＰＨＹ部３０７へ出力する。
【００５４】
ＰＨＹ部３０７は、ＭＡＣ−ｅ部３０６から入力したデータに対して、ＷＣＤＭＡによる無線伝送のためのベースバンド処理等を行って、Ｕｕインタフェースを介して、Ｎｏｄｅ  Ｂへ送信する。
【００５５】
次に、ＣＮ４００の構成について、図４を用いて説明する。図４は、ＣＮ４００の構成を示すブロック図である。
【００５６】
Ｌ２／Ｌ１部４０１は、ＲＮＣから伝送されて入力したパケットデータに対して、有線伝送のためのＬ２の処理及びＬ１の処理を行いＧＴＰ−ｕ  ＰＤＵに復元する。そして、Ｌ２／Ｌ１部４０１は、復元したＧＴＰ−ｕ  ＰＤＵをＧＴＰ−ｕ部４０２へ出力する。
【００５７】
ＧＴＰ−ｕ部４０２は、Ｌ２／Ｌ１部４０１から入力したＧＴＰ−ｕ  ＰＤＵよりＧＴＰ−ｕヘッダを除去してＩＰパケットに復元する。そして、ＧＴＰ−ｕ部４０２は、復元したＩＰパケットをＩＰ部４０３へ出力する。
【００５８】
ＩＰ部４０３は、ＧＴＰ−ｕ部４０２から入力したＩＰパケットに対してＩＰルーティング処理等を行ってＬ２／Ｌ１部４０４へ出力する。
【００５９】
Ｌ２／Ｌ１部４０４は、ＩＰ部４０３から入力したパケットデータに対して、有線伝送のためのＬ２の処理及びＬ１の処理を行ってＧｉインタフェースを介してＴＥへ出力する。
【００６０】
次に、本発明の実施の形態１に係るＴＥ５００の構成について図５を用いて説明する。図５は、ＴＥ５００の構成を示すブロック図である。
【００６１】
Ｌ２／Ｌ１部５０１は、ＣＮから伝送されて入力したパケットデータに対して、有線伝送のためのＬ２の処理及びＬ１の処理を行ってＩＰパケットに復元する。そして、Ｌ２／Ｌ１部５０１は、復元したＩＰパケットをＴＣＰ／ＩＰ部５０２へ出力する。
【００６２】
ＴＣＰ／ＩＰ部５０２は、Ｌ２／Ｌ１部５０１から入力したＩＰパケットよりＩＰヘッダ等を除去するとともに、ＴＣＰヘッダの順序番号等を解析する。ＴＣＰ／ＩＰ部５０２は、ＴＣＰヘッダの順序番号の解析結果が正常である場合には、パケットデータよりＴＣＰヘッダを除去してＡＰ部５０３へ出力する。また、ＴＣＰ／ＩＰ部５０２は、ＴＣＰヘッダの順序番号の解析において、ＴＣＰヘッダの順序番号の抜け等のＴＣＰヘッダの順序番号の異常を検出した場合には、正常に受信した最新の順序番号を設定したＡＣＫ  ＴＣＰパケットを組み立ててＵＥ３００のＴＣＰ／ＩＰ部３０２のＴＣＰ部へ返送する。また、ＴＣＰ／ＩＰ部５０２は、ＵＥ３００のＴＣＰ／ＩＰ部３０２と共にフロー制御や再送制御等を行ってデータの伝送量を制御する。
【００６３】
ＡＰ部５０３は、ＴＣＰ／ＩＰ部５０２から入力したパケットデータより所望のデータを取得する。
【００６４】
次に、ＲＮＣ１００、Ｎｏｄｅ  Ｂ２００、ＵＥ３００、ＣＮ４００及びＴＥ５００を用いたパケット通信システム６００において、ＵＥ３００が複数のＮｏｄｅ  Ｂ２００とマクロダイバーシチ通信を行っている場合の動作について、図６を用いて説明する。なお、図６において、図１〜図５に記載の各構成が行うプロトコル処理と同一のプロトコル処理を行うプロトコルには、図１〜図５に記載の各構成の符号と同一の符号を付す。
【００６５】
ＵＥ３００のＡＰ３０１で生成されたデータは、ＴＣＰ／ＩＰ３０２において、ＴＣＰの再送制御のための順序番号を含むＴＣＰヘッダなどが付加された後、ＩＰにおいて、ＩＰパケットに組み立てられる。ＩＰパケットは、ＰＤＣＰ３０３において、ＩＰヘッダの圧縮などが行われ、さらに、ＲＬＣ３０４において、再送制御のための順序番号など含むＲＬＣヘッダなどが付加され、ＲＬＣ  ＰＤＵに組み立てられる。ＲＬＣ  ＰＤＵは、ＭＡＣ−ｄ３０５において、個別チャネルのＭＡＣ処理に必要なＭＡＣ−ｄヘッダなどが付加された後、ＭＡＣ−ｅ３０６において、Ｎｏｄｅ  Ｂ２００のＭＡＣ−ｅ２０７からスケジューリング情報として通知される変調方式及び符号化率に従ってＨＡＲＱ符号化、適応変調等の処理が行われてＭＡＣ−ｅ  ＰＤＵに組み立てられ、Ｎｏｄｅ  Ｂ２００のＭＡＣ−ｅ２０７からスケジューリング情報として通知される送信タイミング指示及び送信レート指示に従った送信タイミング及び送信レートにてＰＨＹ３０７に渡される。ＭＡＣ−ｅ  ＰＤＵは、ＰＨＹ３０７においてＷＣＤＭＡによる無線伝送のためのベースバンド処理などが行われて、無線回線（Ｕｕインタフェース）を介して、Ｎｏｄｅ  Ｂ２００に送られる。
【００６６】
Ｎｏｄｅ  Ｂ２００では、ＰＨＹ２０１において、ＷＣＤＭＡによる無線伝送のためのベースバンド処理などが行われ、ＭＡＣ−ｅ２０７において、復調、ＨＡＲＱ復号化／誤り訂正などの処理がおこなわれる。
【００６７】
また、ＭＡＣ−ｅ２０７は、複数のＵＥ３００との間の無線回線の回線状況及びＥＤＣＨ  ＦＰ２０８から通知されるＨＡＲＱ  Ｏｐｅｒａｔｉｏｎ情報から、各ＵＥ３００の送信タイミング及び送信時に用いる送信レート等を決定してＵＥ３００のＭＡＣ−ｅ３０６に通知する。
【００６８】
ＥＤＣＨ  ＦＰ２０８のデータフレーム処理部２０５は、ＭＡＣ−ｅ２０７からＭＡＣ−ｄ  ＰＤＵが入力した場合、ＥＤＣＨ  ＦＰ  ＭＤＣデータフレームを組み立てる。その後、Ｌ２／Ｌ１２０６において、有線伝送のためのＬ２の処理及びＬ１の処理が行われ、Ｉｕｂ／Ｉｕｒインタフェースを介して、ＲＮＣ１００に送られる。また、ＥＤＣＨ  ＦＰ２０８の制御フレーム処理部２０４は、ＭＡＣ−ｅ処理部２０２から入力したＨＡＲＱのステータス情報からＥＤＣＨ  ＦＰ  ＭＤＣ制御フレームを組み立ててＬ２／Ｌ１２０６へ出力する。また、ＥＤＣＨ  ＦＰ２０８の制御フレーム処理部２０４は、Ｌ２／Ｌ１２０６からＥＤＣＨ  ＦＰ  ＭＤＣ制御応答フレームが入力した場合には、設定されている情報をＭＡＣ−ｅ２０７のスケジューラ部２０３及びＭＡＣ−ｅ処理部２０２へ出力する。
【００６９】
ＲＮＣ１００では、Ｌ２／Ｌ１１０１において、有線伝送のためのＬ２の処理及びＬ１の処理が行われ、ＥＤＣＨ  ＦＰ  ＰＤＵを復元する。
【００７０】
また、ＥＤＣＨ  ＦＰ１０９の制御フレーム処理部１０３は、Ｌ２／Ｌ１１０１からＥＤＣＨ  ＦＰ  ＭＤＣ制御フレームが入力した場合、ＥＤＣＨ  ＦＰ  ＭＤＣ制御フレームに設定されているＣＲＣＩ及びＱＥから、ＨＡＲＱ  Ｏｐｅｒａｔｉｏｎを設定したＥＤＣＨ  ＦＰ  ＭＤＣ制御応答フレームを生成して、Ｌ２／Ｌ１１０８へ出力する。
【００７１】
ＥＤＣＨ  ＦＰ１０９のデータフレーム処理部１０２は、Ｌ２／Ｌ１１０１から入力されるＥＤＣＨ  ＦＰ  ＭＤＣデータフレームからＭＡＣ−ｄ  ＰＤＵを組み立ててＭＡＣ−ｄ１０４へ出力する。
【００７２】
ＭＡＣ−ｄ  ＰＤＵは、ＭＡＣ−ｄ１０４において、個別チャネルのＭＡＣ処理が行われ、ＭＡＣ−ｄヘッダを除去して、ＲＬＣ  ＰＤＵに復元される。ＲＬＣ  ＰＤＵは、ＲＬＣ１０５において、ＲＬＣヘッダの順序番号がチェックされ、正常である場合は、ＲＬＣヘッダが除去され、ＰＤＣＰ１０６において、圧縮されたＩＰヘッダの伸張が行われ、ＩＰパケットに復元される。
【００７３】
ＲＬＣ１０５において、ＲＬＣヘッダの順序番号の抜け等のＲＬＣヘッダの順序番号の異常を検出した場合は、再送要求を設定したＲＬＣ  ＰＤＵをＵＥ３００のＲＬＣ３０４に返送する。ＵＥ３００のＲＬＣ３０４は、再送要求を設定したＲＬＣ  ＰＤＵを受信すると、直ちに、当該ＲＬＣ  ＰＤＵをＲＮＣ１００のＲＬＣ１０５に再度送信する。これにより、Ｕｕ、Ｉｕｂ／Ｉｕｒで廃棄されたＲＬＣ  ＰＤＵを回復することができる。
【００７４】
ＩＰパケットは、ＧＴＰ−ｕ１０７において、ＲＮＣ１００とＣＮ４００との間でのデータ転送のためのＧＴＰ−ｕヘッダが付加され、ＧＴＰ−ｕ  ＰＤＵに組み立てられる。その後、Ｌ２／Ｌ１１０８において、有線伝送のためのＬ２の処理及びＬ１の処理が行われ、Ｉｕインタフェースを介して、ＣＮ４００に送られる。
【００７５】
ＣＮ４００では、Ｌ２／Ｌ１４０１において、有線伝送のためのＬ２の処理及びＬ１の処理が行われ、ＧＴＰ−ｕ  ＰＤＵに復元される。ＧＴＰ−ｕ  ＰＤＵは、ＧＴＰ−ｕ４０２において、ＧＴＰ−ｕヘッダが除去され、ＩＰパケットに復元される。ＩＰパケットは、ＩＰ４０３において、ＩＰルーティング処理などが行われ、Ｌ２／Ｌ１４０４において、有線伝送のためのＬ２の処理及びＬ１の処理が行われ、Ｇｉインタフェースを介して、ＴＥ５００に送られる。
【００７６】
ＴＥ５００では、Ｌ２／Ｌ１５０１において、有線伝送のためのＬ２の処理及びＬ１の処理が行われ、ＩＰパケットに復元される。ＩＰパケットは、ＴＣＰ／ＩＰ５０２において、ＩＰヘッダなどが除去され、ＴＣＰヘッダの順序番号などが解析され、正常である場合は、ＴＣＰヘッダが除去され、データがＡＰ５０３に渡される。
【００７７】
ＴＣＰ／ＩＰ５０２において、ＴＣＰヘッダの順序番号の異常（抜けなど）を検出した場合は、正常に受信した最新の順序番号を設定したＡＣＫ  ＴＣＰパケットを組み立て、ＵＥ３００のＴＣＰ／ＩＰ３０２に返送する。ＵＥ３００のＴＣＰ／ＩＰ３０２では、同じ順序番号が設定されているＡＣＫ  ＴＣＰパケットを３回連続して受信した場合、ネットワークにおいて、ＩＰパケットが廃棄されたと判断し、ＡＣＫ  ＴＣＰパケットに設定されている順序番号の次の順序番号を持つＴＣＰパケットを再送し、同時に、ネットワークが混雑していると判断し、Fast Retransmission機能を動作させてＴＣＰ／ＩＰ３０２、５０２の送信レートを下げる。
【００７８】
ＲＮＣは、ＨＡＲＱの処理サイクル（ＴＴＩ）毎に複数のＮｏｄｅ  ＢのＨＡＲＱからＨＡＲＱの状態を受信し、再送実行有無をＮｏｄｅ  ＢのＨＡＲＱに返送し、データもＨＡＲＱの処理サイクル（ＴＴＩ）毎にＮｏｄｅ  ＢからＲＮＣに転送される。
【００７９】
次に、フレーム構成について図７〜図９を用いて説明する。図７は、ＥＤＣＨ  ＦＰ  ＭＤＣ制御フレームの構成を示す図であり、図８は、ＥＤＣＨ  ＦＰ  ＭＤＣ制御応答フレームの構成を示す図であり、図９は、ＥＤＣＨ  ＦＰ  ＭＤＣデータフレームの構成を示す図である。
【００８０】
最初に、各フレームに共通するＨｅａｄｅｒ部及びＴａｉｌ部について説明する。図７の制御フレームのＨｅａｄｅｒ部＃７０１及び図８の制御フレームのＨｅａｄｅｒ部＃８０１は、制御フレームかデータフレームであるかを示すＦＴフィールド＃７０３、＃８０３、制御フレームの誤り検出のためのＣｏｎｔｒｏｌ  Ｆｒａｍｅ  ＣＲＣフィールド＃７０４、＃８０４、及び制御フレームの種類を示すＣｏｎｔｒｏｌ  Ｆｒａｍｅ  Ｔｙｐｅフィールド＃７０５、＃８０５により構成される。また、図９のデータフレームのＨｅａｄｅｒ部＃９０１は、Ｈｅａｄｅｒ部＃９０１の誤り検出のためのＨｅａｄｅｒ  ＣＲＣフィールド＃９０５、各ＭＡＣ−ｄ  ＰＤＵ長を示すＭＡＣ−ｄ  ＰＤＵ  Ｌｅｎｇｔｈフィールド＃９０６、及びフレーム内のＭＡＣ−ｄ  ＰＤＵ数を示すＮｕｍＯｆＰＤＵフィールド＃９０７により構成される。
【００８１】
また、図９のデータフレームのＴａｉｌ部＃９０３は、将来の拡張のためのＳｐａｒｅ  Ｅｘｔｅｎｓｉｏｎフィールド＃９０８、Ｐａｙｌｏａｄ部の誤り検出のためのＰａｙｌｏａｄ  ＣＲＣフィールド＃９０９、及びＰａｙｌｏａｄ部の誤り検出のためのＰａｙｌｏａｄ  ＣＲＣフィールド＃９１０により構成される。
【００８２】
次に、各フレームのＰａｙｌｏａｄ部について説明する。図７より、ＥＤＣＨ  ＦＰ  ＭＤＣ制御フレームにおけるＰａｙｌｏａｄ部＃７０２は、ＭＡＣ−ｅ  ＰＤＵを識別するための順序番号であるＳＮフィールド＃７０６、ＭＡＣ−ｅ部のＨＡＲＱ部のステータス情報としてＣＲＣＩ＃７０７、ＱＥフィールド＃７０８から構成される。ＣＲＣＩ＃７０７は、ＨＡＲＱによるデータのＣＲＣＩを示す情報である。また、ＱＥ＃７０８は、ＨＡＲＱによるデータの推定ビット誤り率を示す情報である。ＣＲＣＩ＃７０７及びＱＥ＃７０８は、ＨＡＲＱのステータス情報の例であり、その他の情報を用いても良い。また、図７は、１つのＭＡＣ−ｅ  ＰＤＵに関するＨＡＲＱのステータス情報を設定しているが、複数ＵＥ分または複数のＭＡＣ−ｅ  ＰＤＵ分のステータス情報をまとめて設定してもよい。
【００８３】
図８より、ＥＤＣＨ  ＦＰ  ＭＤＣ制御応答フレームにおけるＰａｙｌｏａｄ部＃８０２は、ＭＡＣ−ｅ  ＰＤＵを識別するためのＳＮを設定するＳＮフィールド＃８０６、ＲＮＣ１００からＮｏｄｅ  Ｂ２００のＨＡＲＱ部に対して動作の指示を指定するＨＡＲＱ  Ｏｐｅｒａｔｉｏｎフィールド＃８０７から構成される。ＨＡＲＱ  Ｏｐｅｒａｔｉｏｎフィールド＃８０７は、ＡＣＫ、ＮＡＣＫ、またはＦｌａｓｈの３通りの値をとることが可能である。また、ＳＮフィールド＃８０６に設定されるＳＮは、Ｎｏｄｅ  Ｂ２００がＥＤＣＨ  ＦＰ  ＭＤＣ制御応答フレームを受け取った場合に、Ｎｏｄｅ  Ｂ２００がＥＤＣＨ  ＦＰ  ＭＤＣデータフレームをＲＮＣ１００へ伝送して良いか否かを判断する際に参照される。
【００８４】
図９より、ＥＤＣＨ  ＦＰ  ＭＤＣデータフレームにおけるＰａｙｌｏａｄ部＃９０２は、１ＴＴＩにおけるＭＡＣ−ｄ  ＰＤＵをＭＡＣ−ｄ  ＰＤＵ１〜ｎフィールドに設定して転送する。
【００８５】
ＵＥ３００がマクロダイバーシチ通信を行わずに１つのＮｏｄｅ  Ｂ２００とのみ通信している場合は、Ｎｏｄｅ  Ｂ２００のＭＡＣ−ｅ処理部２０２のＨＡＲＱは、自Ｎｏｄｅ  Ｂ２００のＨＡＲＱの状態のみに基づいてＨＡＲＱを行えば良い。即ち、Ｎｏｄｅ  Ｂ２００は、ＵＥ３００から受信したデータに誤りがある場合はＨＡＲＱ再送を行い、ＵＥ３００から受信したデータに誤りがない場合はＨＡＲＱを終了してデータをＲＮＣ１００に送信する。
【００８６】
しかし、ＵＥ３００が複数のＮｏｄｅ  Ｂ２００とマクロダイバーシチ通信状態にある場合は、自Ｎｏｄｅ  Ｂ２００のＭＡＣ−ｅ処理部２０２のＨＡＲＱではデータに誤りがある場合でも、他のＮｏｄｅ  Ｂ２００のＭＡＣ−ｅ処理部２０２のＨＡＲＱではデータに誤りがない場合もありうる。このため、マクロダイバーシチ通信状態にある場合、複数のＮｏｄｅ  Ｂ２００のＭＡＣ−ｅ処理部２０２のＨＡＲＱは、データに誤りがある場合であっても直ちにＨＡＲＱ再送を行わず、一旦、現在の状態を上位のＲＮＣ１００に通知し、ＲＮＣ１００において、全てのＮｏｄｅ  Ｂ２００のＭＡＣ−ｅ処理部２０２のＨＡＲＱの状態を確認した上で、Ｎｏｄｅ  Ｂ２００のＭＡＣ−ｅ処理部２０２のＨＡＲＱでのＨＡＲＱ再送の実行有無を指示する。
【００８７】
このように、本実施の形態１によれば、Ｎｏｄｅ  Ｂは最初にＥＤＣＨ  ＦＰ  ＭＤＣ制御フレームをＲＮＣへ送信するとともに、ＲＮＣはＥＤＣＨ  ＦＰ  ＭＤＣ制御フレームに含まれるＣＲＣＩ及びＱＥを参照して、最も品質の良好なＥＤＣＨ  ＦＰ  ＭＤＣデータフレームを伝送できる基地局装置を選択してＥＤＣＨ  ＦＰ  ＭＤＣデータフレームを伝送してもらうことができるので、トラヒック量の増大を低減することができるとともに、伝送時間間隔を短くした場合においてもデータ転送の際のオーバーヘッドの増大を防ぐことができる。
【００８８】
（実施の形態２）
図１０は、本発明の実施の形態２に係るＮｏｄｅ  Ｂ１０００の構成を示すブロック図である。
【００８９】
本実施の形態２に係るＮｏｄｅ  Ｂ１０００は、図２に示す実施の形態１に係るＮｏｄｅ  Ｂ２００において、図１０に示すように、データフレーム処理部２０５の代わりにデータフレーム処理部１００１を有する。なお、図１０においては、図２と同一構成である部分には同一の符号を付してその説明は省略する。
【００９０】
図１０より、制御フレーム処理部２０４及びデータフレーム処理部１００１は、ＥＤＣＨ  ＦＰ部１００２を構成する。
【００９１】
データフレーム処理部１００１は、ＭＡＣ−ｅ処理部２０２から入力したＭＡＣ−ｄ  ＰＤＵより、ＥＤＣＨ  ＦＰ  ＭＤＣデータフレームを組み立ててＬ２／Ｌ１部２０６へ出力する。この時、ＥＤＣＨ  ＦＰデータフレーム処理部１００１は、複数ＴＴＩ分のＭＡＣ−ｅ処理部２０２からのＭＡＣ−ｄ  ＰＤＵを一旦蓄積し、タイミング情報が入力したタイミングにて複数のＭＡＣ−ｄ  ＰＤＵをまとめて１つのＥＤＣＨ  ＦＰ  ＭＤＣユーザフレームとしてＬ２／Ｌ１部２０６へ出力する。
【００９２】
次に、データフレーム処理部１００１の詳細な構成について図１１を用いて説明する。図１１は、データフレーム処理部１００１の構成を示すブロック図である。
【００９３】
データ蓄積部１１０１は、ＭＡＣ−ｅ処理部２０２から入力したＭＡＣ−ｄ  ＰＤＵを所定時間蓄積して、図示しないタイマーより所定時間経過した旨のタイミング情報が入力した場合には、蓄積したＭＡＣ−ｄ  ＰＤＵをデータ結合部１１０２へ出力する。
【００９４】
データ結合部１１０２は、データ蓄積部１１０１から入力した所定時間におけるＭＡＣ−ｄ  ＰＤＵをまとめて、１つのＥＤＣＨ  ＦＰ  ＭＤＣユーザフレームとしてＬ２／Ｌ１部２０６へ出力する。この時、データ結合部１１０２にて１つのＥＤＣＨ  ＦＰ  ＭＤＣユーザフレームとしてまとめられるＭＡＣ−ｄ  ＰＤＵは、複数のＴＴＩ分のＭＡＣ−ｄ  ＰＤＵである。なお、データ結合部１１０２は、タイミング情報が入力するまでに１ＴＴＩ分のＭＡＣ−ｄ  ＰＤＵしか入力しない場合には、１ＴＴＩ分のＭＡＣ−ｄ  ＰＤＵをＥＤＣＨ  ＦＰ  ＭＤＣユーザフレームとしてＬ２／Ｌ１部２０６へ出力する。
【００９５】
図１２は、ＥＤＣＨ  ＦＰ  ＭＤＣデータフレームの構成を示す図である。なお、図９と同一構成である部分には同一の符号を付してその説明は省略する。
【００９６】
ＥＤＣＨ  ＦＰ  ＭＤＣデータフレームにおけるＰａｙｌｏａｄ部＃１２０１は、複数のＴＴＩにおけるＭＡＣ−ｄ  ＰＤＵをＭＡＣ−ｄ  ＰＤＵ１〜ｎフィールドに設定して転送する。即ち、ＭＡＣ−ｄ  ＰＤＵ１−１〜ＭＡＣ−ｄ  ＰＤＵ１−ｎは１ＴＴＩにおけるＭＡＣ−ｄ  ＰＤＵであり、同様にＭＡＣ−ｄ  ＰＤＵ１−ｎ〜ＭＡＣ−ｄ  ＰＤＵｎ−ｎは１ＴＴＩにおけるＭＡＣ−ｄ  ＰＤＵであり、ＭＡＣ−ｄ  ＰＤＵ１−１〜ＭＡＣ−ｄ  ＰＤＵｎ−ｎがＭＡＣ−ｄ  ＰＤＵ１〜ｎフィールドに設定される。
【００９７】
Ｎｏｄｅ  ＢからＲＮＣへのＨＡＲＱの状態の通知、及びＲＮＣからＮｏｄｅ  Ｂへの再送実行有無については、ＨＡＲＱの遅延抑制のためにＨＡＲＱサイクル（ＴＴＩ）毎に行うが、Ｎｏｄｅ  ＢからＲＮＣへのデータの転送については、ＨＡＲＱサイクル（ＴＴＩ）の複数回分に相当するデータをまとめて１回でＲＮＣへ転送する。
【００９８】
このように、本実施の形態２によれば、上記実施の形態１の効果に加えて、複数ＴＴＩ分のＭＡＣ−ｄ  ＰＤＵをまとめて１回の送信にて送るので、ＲＮＣがＴＴＩ当たりに受信するデータフレーム数を低減することが可能となり、ＲＮＣの処理能力を低減することができるとともに、データフレームを転送する際のＩＰヘッダなどのオーバーヘッド情報を低減することができ、Ｎｏｄｅ  ＢとＲＮＣとの間のトラヒックの増大を低減することができる。また、本実施の形態２によれば、Ｎｏｄｅ  ＢからＲＮＣへのデータの転送については、ＨＡＲＱサイクル（ＴＴＩ）の複数回分をまとめて転送するので、ＨＡＲＱによる再送回数が多い場合において、遅延が再送回数分累積されることを防ぐことができ、遅延時間が大きく増大することを防ぐことができる。
【００９９】
なお、上記実施の形態１及び実施の形態２において、ＥＤＣＨ  ＦＰ  ＭＤＣ制御フレームに含まれているＣＲＣＩ及びＱＥを用いて、ＥＤＣＨ  ＦＰ  ＭＤＣデータフレームを伝送するＮｏｄｅ  Ｂを選択することとしたが、これに限らず、ＣＲＣＩ及びＱＥのいずれか一方のみを用いてＥＤＣＨ  ＦＰ  ＭＤＣデータフレームを伝送するＮｏｄｅ  Ｂを選択しても良いし、ＣＲＣＩ及びＱＥ以外のＥＤＣＨ  ＦＰ  ＭＤＣデータフレームの品質を示す任意の情報に基づいて、ＥＤＣＨ  ＦＰ  ＭＤＣデータフレームを伝送するＮｏｄｅ  Ｂを選択しても良い。
【産業上の利用可能性】
【０１００】
本発明にかかる制御局装置及び基地局装置は、トラヒック量の増大を低減するとともに、伝送時間間隔を短くした場合においてもデータ転送の際のオーバーヘッドの増大を防ぐ効果を有し、パケット通信を高速化するのに有用である。
【図面の簡単な説明】
【０１０１】
【図１】本発明の実施の形態１に係る制御局装置の構成を示すブロック図
【図２】本発明の実施の形態１に係る基地局装置の構成を示すブロック図
【図３】本発明の実施の形態１に係る移動端末の構成を示すブロック図
【図４】本発明の実施の形態１に係るコアネットワークの構成を示すブロック図
【図５】本発明の実施の形態１に係る移動端末の通信相手の構成を示すブロック図
【図６】本発明の実施の形態１に係るプロトコル構成を示す図
【図７】本発明の実施の形態１に係るＥＤＣＨ  ＦＰ  ＭＤＣ制御フレームを示す図
【図８】本発明の実施の形態１に係るＥＤＣＨ  ＦＰ  ＭＤＣ制御応答フレームを示す図
【図９】本発明の実施の形態１に係るＥＤＣＨ  ＦＰ  ＭＤＣデータフレームを示す図
【図１０】本発明の実施の形態２に係る制御局装置の構成を示すブロック図
【図１１】本発明の実施の形態２に係るデータフレーム処理部の構成を示すブロック図
【図１２】本発明の実施の形態２に係るＥＤＣＨ  ＦＰ  ＭＤＣデータフレームを示す図
【図１３】移動通信システムの構成を示す図
【符号の説明】
【０１０２】
１００  制御局装置
１０１、１０８  Ｌ２／Ｌ１部
１０２  データフレーム処理部
１０３  制御フレーム処理部
１０４  ＭＡＣ−ｄ部
１０５  ＲＬＣ部
１０６  ＰＤＣＰ部
１０７  ＧＴＰ−ｕ部
【図１】
2005318211.tif 000003
【図２】
2005318211.tif 000004
【図３】
2005318211.tif 000005
【図４】
2005318211.tif 000006
【図５】
2005318211.tif 000007
【図６】
2005318211.tif 000008
【図７】
2005318211.tif 000009
【図８】
2005318211.tif 000010
【図９】
2005318211.tif 000011
【図１０】
2005318211.tif 000012
【図１１】
2005318211.tif 000013
【図１２】
2005318211.tif 000014
【図１３】
2005318211.tif 000015